(57)【要約】【課題】  袋の脱着を容易にすることでペットの糞取り器具を小型化し、簡単に使える糞取り器を提案する。【解決手段】  袋体の有効開口部の内周長さ（Ｌ１）＜リング枠の内周長さ（Ｌ２）＜前記袋体の底部の外周長さ（Ｌ３）の関係を満たすことで、リング枠に袋体の有効開口端部を折り返した時、リング枠に袋体の着脱を容易にできる。したがって小型で軽量化を可能とし、子供からお年寄りまでも安全に使用可能とした。【選択図】図５
2012085621.tif 000002
【特許請求の範囲】
【請求項１】
排便時にペットの糞を受け止める袋体と、前記袋体を固定するリング枠と、リング枠に設けた持ち手部分とを有するペットの糞取り器において、リング枠の内周長さ（Ｌ２）と袋体の有効開口部の内周長さ（Ｌ１）と袋体の底部の外周長さ（Ｌ３）との関係は：袋体の有効開口部の内周長さ（Ｌ１）＜リング枠の内周長さ（Ｌ２）＜袋体の底部の外周長さ（Ｌ３）であり、前記袋体の有効開口端を前記リング枠に折り返し固定されてなるペットの糞とり器。
【請求項２】
リング枠と袋体の関係は、前記袋体の有効開口部の内周長さ（Ｌ１）＜リング枠の内周長さ（Ｌ２）＜前記袋体の底部の外周長さ（Ｌ３）の関係を満たし、かつ前記袋体の開口部の内周長さ（Ｌ１）とリング枠の内周長さ（Ｌ２）の関係は、Ｌ１／Ｌ２＜０．６０〜０．９９の範囲であることを特徴とする請求項１に記載のペットの糞取り器。
【請求項３】
前記袋体の有効開口部は袋体の両端の対向する面同士を固着したストッパ部を設けることにより形成されている請求項１乃至２記載のペットの糞取り器。
【請求項４】
袋体開口部の外面数ヶ所に接着面４ｄを取り付けることを特徴とする請求項１に記載のペットの糞とり器。
【発明の詳細な説明】
【技術分野】
【０００１】  本発明は社会問題になっているペット類、主に犬が排便するときに落下する糞を受け止めてこれを収容し、持ち帰るための糞とり器に関するものである。
【背景技術】
【０００２】  犬の散歩にはリードを手に持ち、糞処理に関する小物を入れた袋を持参するのが一般的であるが、ペットの糞取り作業の様式は一定した決まりが無く、個人の思いに任されているので、糞の処理に対する意識の違い、又は糞処理用の紙及び袋等を忘れる事があり、それらが糞の置き去りに繋がるものと推測される。犬の排便は特有の仕草により予め予測できることから袋の中に糞を直接受け止めるタイプの器具が提案されている。例えば、下記特許文献に開示されたものがある。
【先行技術文献】
【０００３】
【特許文献１】  特許３８０７６１７
【特許文献２】  特開平１１−２８０３３号公報
【特許文献３】  特開２００２−１０８号公報
【特許文献４】  特開２００１−３２１０００号公報
【特許文献５】  特許第２９９８０２４号公報
【発明が解決しようとする課題】
【０００４】  特許文献に開示された器具は、いずれも糞を収容する袋を開口状態に維持できるようフレームに吊り下げ、このフレームに持ち手を設けた構造を有する。使用に当たっては、持ち手を握ってフレームに吊り下げられた袋を犬の尻下に差し出し、この袋の開口内に排出されてくる糞が入るように受け止める形のものであるが、袋を固定する方法として文献１では別体のキャップを使用、文献２では内袋に引っ掛け穴を作り、リング枠に取り付けるとし、文献３では袋を押さえ棒で固定、文献４では袋を押さえるための押さえフレームを使用、文献５では複数のクリップを使って袋をフレームに取り付けるなどの多数の案件が発明されるものの一般的に普及されていない。
【０００５】  本発明では袋体を抑えるためのフレームを不要とし、袋体を直接フレームに簡単、確実に取り付けることが出来る糞取り器を提供する。さらに、軽量、コンパクトであり、臭気を閉じ込め、不衛生さを感じさせないもの、そして使い勝手がシンプルで、単調であること、持ち運びに負担無く、器具が汚れたら、簡単に洗い流せること等の条件を兼ね備えたペットの糞取り器を提供する。
【課題を解決するための手段】
【０００６】請求項１の発明は排便時にペットの糞を受け止める袋体と、前記袋体を固定するリング枠と、リング枠に設けた持ち手部分とを有するペットの糞取り器において、リング枠の内周長さ（Ｌ２）と袋体の有効開口部の内周長さ（Ｌ１）と袋体の底部の外周長さ（Ｌ３）との関係は：袋体の有効開口部の内周長さ（Ｌ１）＜リング枠の内周長さ（Ｌ２）＜袋体の底部の外周長さ（Ｌ３）であり、前記袋体の有効開口端を前記リング枠に折り返し固定されてなるペットの糞とり器である。
本発明は以上のように袋体の有効開口部の内周長さをリング枠の内周長さより小さくすることで、リング枠に袋体の有効開口部を折り返した時、袋体の有効開口部がリング枠の下部に引っ掛かることで袋の固定が成される。また、袋体の有効開口部の内周長さ（Ｌ１）と袋体の底部の外周長さ（Ｌ３）の関係はＬ３をＬ１より大きくすることで、糞を受け止める容積を大きく確保できる。
【０００７】  請求項２ではリング枠と袋体の関係は、前記袋体の有効開口部の内周長さ（Ｌ１）＜リング枠の内周長さ（Ｌ２）＜前記袋体の底部の外周長さ（Ｌ３）の関係を満たし、かつ前記袋体の開口部の内周長さ（Ｌ１）とリング枠の内周長さ（Ｌ２）の関係は、Ｌ１／Ｌ２＜０．６０〜０．９９の範囲であることを特徴とする請求項１に記載のペットの糞取り器である。
本発明の有効開口部の内周長さ（Ｌ１）とリング枠の内周長さ（Ｌ２）の関係はＬ１／Ｌ２＜０．６０〜０．９９の範囲であることが好ましく、０．７５〜０．９５の範囲であることがより好ましい。
前期範囲にすることにより、リング枠への袋体の取り付け性、取り付け強度を高めることが出来る。
【０００８】  以上のことから、袋体に糞が入った状態でもリング枠から袋体が外れる事は無い。したがって袋を取り付けるための押えフレーム等が不要となるため、器具を軽量・簡素化することが出来る。
【０００９】  請求項３では前記袋体の有効開口部は袋体の両端の対向する面同士を固着したストッパ部を設けることにより、リング枠の内周長さより袋体の有効開口部の内周長さを小さくすることが出来、かつ、袋体の底部の外周長さ（Ｌ３）を大きくすることが出来る。
【００１０】  本発明の袋体の有効開口部の内周長さ（Ｌ１）とリング枠の内周長さ（Ｌ２）の関係
Ｌ１／Ｌ２＜０．６０〜０．９９の範囲について、Ｌ１／Ｌ２が０．６０以下の場合は有効開口部が小さくなり、リング枠の下部で折り返したとき、小さくなった袋体の有効開口の径は細く、糞が通過するとき袋を汚しながら袋底辺に落下し、かつ袋体の装着も困難となるので好ましくない。又、Ｌ１／Ｌ２が０．９９以上の場合リング枠と袋体の差異減少により確実に固定することが出来ない。
【００１１】  請求項４では袋体開口部の外面数ヶ所に接着面４ｄを取り付けることを特徴とする請求項１に記載のペットの糞とり器である。
本発明のリング枠に取り付けた袋体は無風状態に置いては固定されるものの、風に吹かれると袋体がリング枠から浮き上がり、離脱する事がある。これを阻止するため袋体の有効開口部の外面数ヶ所に接着面４ｄを設けたことで、より確実に固着することが出来る。
【発明の効果】
【００１２】  前記袋体の有効開口部の内周長さ（Ｌ１）＜リング枠の内周長さ（Ｌ２）＜前記袋体の底部の外周長さ（Ｌ３）の関係を満たすことで、リング枠に袋体の有効開口端部を折り返した時、リング枠に袋体の着脱を容易にできる。したがって小型で軽量化を可能とし、子供からお年寄りまでも安全に使用可能とした。
【図面の簡単な説明】
【００１３】
【図１】本発明にかかるペットの糞とり器
【図２】本発明に使用されるペットの糞とり器のリング枠と持ち手の全体図
【図３】本発明に使用される他の袋体の斜視図
【図４】本発明に使用されるリング枠に袋を取り付けるａ〜ｃ図
【図５】本発明にかかるペットの糞取り器のリング枠を２つに折りたたんだ図
【図６】差異のある袋の図
【００１４】  本発明に使用されるリング枠に袋体を取り付ける手順を説明
図４に記載のａ〜ｃ
（ａ）リング枠内輪の下方から袋の開口部を上方に出す。
（ｂ）袋体有効開口部の片方をリング枠の外側に捲るように下方に降ろす。もう片              方を引っ張るようにして同じようにリング枠の外側下方に捲る。袋を捲る              時は、袋体の有効開口部で狭くなるよう作られた止め線部分がリング枠よ              り下方の位置になるように設置する。
（ｃ）袋体の底辺を引っ張ってピンと伸ばし、袋体が固定されたことを確認する。そ            の後、持ち手の部分とそれに対抗する袋の面とを接着面で止める。
【発明を実施する為の最良の形態】
【００１５】  排便時にペットの糞を受け止める袋体４と、前記袋体を支持するリング枠１と、リング枠に設けた持ち手部分２とを有するペットの糞取り器であって、
袋体４には開口部両端の対抗する面同士が固着一体化された２ヶ所のストッパ部分４ｃを有しており、前記ストッパ部分の内側における袋体開口部の内周長さ（Ｌ１）とリング枠の内周長さ（Ｌ２）が次式：Ｌ１／Ｌ２＜０．６０〜０．９９の範囲であり、さらに袋体開口部の外面に数ヶ所の接着面４ｄを取り付ける。
【００１６】  器具は合成樹脂、金属、木材等からなり、持ち手部は円形、円筒形、楕円筒形、リング部の外形は円形又は楕円形である。袋は熱可塑性樹脂からなるものを用いることが出来、袋のストッパ部分は対面する面同士を熱融着する方法、接着剤で接着する方法等を適用して形成する。
【００１７】  本件発明の条件を満たせば、袋体の形状は、上記実施例の他に、載頭多角推形、載頭円錐形であってもよい。
【００１８】  本発明は加工された袋体の止めとなる線（ストッパ部分４ｃ）がリングの下部に引っかかるため、リング枠に直接取り付けた袋体に糞を受け入れることは可能であるが、糞の入っていない空の状態の場合、風により袋体が浮きあがり飛ばされることがあるので浮き防止として数ヶ所の接着面４ｄを加えたことで、袋の装着をより確実に安定させた。
【００１９】  リング枠と持ち手の交差部分（２ａ）及び持ち手と対抗するリング枠（１ａ）の面に凹凸部位を取り付ける或いは凹凸面にする、又は磁石、スナップ等を使用することで、袋体を取り付けたリング枠は２つに折りたたみ結合した時、袋は密閉、固着されたまま持ち運ぶことができ、再度の使用も開閉が簡単に出来る。
【００２０】  持ち手後部３には紐、又はフック、もしくは紐とフックを取り付けることが出来る。
【００２１】  袋体のストッパ部位に固着一体化された線の長さ４ｃは、１．００ｃｍから５．００ｃｍであり、好ましくは２．００ｃｍから４．００ｃｍとし、糞の重さで袋のストッパ線が裂けるのを防ぐのに必要な長さである。
【００２２】  自宅に持ち帰った糞は各自治体が指定する方法で処理しやすい、例えば糞をトイレに流す、という地域では、リング枠を開き糞だけをトイレに、袋体は指定された方法で処分することが出来る。
【符号の説明】
【００２３】１    リング枠
２    持ち手
３    紐とフック
４    袋
１ａ  磁石もしくは金属板
２ａ  金属板もしくは磁石
４ｂ  袋体の幅
４ｃ  袋体の止め線（ストッパ部位）
４ｄ  接着面
Ｌ１  有効開口部の内周長さ
Ｌ２  リング枠の内周長さ
Ｌ３  袋体の底辺の外周長さ
【図１】
2012085621.tif 000003
【図２】
2012085621.tif 000004
【図３】
2012085621.tif 000005
【図４】
2012085621.tif 000006
【図５】
2012085621.tif 000007
【図６】
2012085621.tif 000008